(57)【要約】【課題】ディスクドライブの起動時間が長いため出画が遅かった。【解決手段】電源オフ開始時に装着されているディスク１０１の有無情報や識別情報、サーボ部１０４の信号処理の学習値、コントロールデータや欠陥管理情報等を、ディスクドライブ１外部の制御部に備えるメモリ２０１に記憶させ、電源オン開始後にメモリ２０１に記憶していたこれらの情報を読み出し、ＣＰ烏有１０９からサーボ部１０４、増幅器１０５、信号処理部１０６、パワー制御部１１１を制御することにより、ディスクドライブ１の起動時間を短縮することができる。【選択図】　図１
2004118887.tif 000002
【特許請求の範囲】
【請求項１】
可換情報媒体に情報信号を記録再生する記録再生手段と、前記記録再生手段に対し記録再生動作を制御する制御手段とを含み、前記制御手段に前記可換情報媒体の履歴情報を格納する記憶手段を備えることを特徴とする記録再生装置。
【請求項２】
可換情報媒体の履歴情報が、可換情報媒体の載置の有無情報、可換情報媒体の情報層の種類に関する情報、可換情報媒体の欠陥情報、及び可換情報媒体の制御情報の群から選択される少なくとも何れか１つの情報を含むことを特徴とする請求項１記載の記録再生装置。
【請求項３】
可換情報媒体に情報信号を記録再生する記録再生部と、前記可換情報媒体の前記記録再生部に対する履歴情報を格納する記憶部を備え、前記記録再生部に対し記録再生動作を制御する制御部とを含む記録再生装置に適用する記録方法であって、
記憶部に前記可換情報媒体の履歴情報の有無を判断するステップと、
前記記憶部に格納された情報を前記制御部を介して前記記録再生部が備えるバッファ部に読み出すステップと、
前記バッファ部から前記可換情報媒体の記録動作に関する情報を抽出するステップとを含むことを特徴とする情報記録方法。
【請求項４】
請求項３記載の情報記録方法であって、記録再生部の電源切断の指令を制御部を介して前記記録再生部が受信したとき、前記電源切断の処理に先立ち、記録動作に関する情報を記憶部に格納する要否判断をするステップをさらに含むことを特徴とする情報記録方法。
【請求項５】
可換情報媒体に情報信号を記録再生する記録再生部と、前記可換情報媒体の前記記録再生部に対する履歴情報を格納する記憶部を備え、前記記録再生部に対し記録再生動作を制御する制御部とを含む記録再生装置に適用する再生方法であって、
記憶部に前記可換情報媒体の履歴情報の有無を判断するステップと、
前記記憶部に格納された情報を前記制御部を介して前記記録再生部が備えるバッファ部に読み出すステップと、
前記バッファ部から前記可換情報媒体の再生動作に関する情報を抽出するステップとを含むことを特徴とする情報再生方法。
【請求項６】
請求項５記載の情報再生方法であって、記録再生部の電源切断の指令を制御部を介して前記記録再生部が受信したとき、前記電源切断の処理に先立ち、再生動作に関する情報を記憶部に格納する要否判断をするステップをさらに含むことを特徴とする情報再生方法。
【発明の詳細な説明】
【０００１】
【発明の属する技術分野】
本発明は、記録再生を行うことができる記録再生装置に関するものである。
【０００２】
【従来の技術】
近年、可換情報媒体を使った記録再生装置、特に光ディスクを用いる記録再生装置では、例えばＣＤ−ＤＡと称される音楽情報を予め記録した再生専用媒体、ＣＤ−ＲＯＭまたはＤＶＤ−ＲＯＭと称されるコンピュータプログラムを予め記録した再生専用媒体、ＤＶＤ−ＶｉｄｅｏまたはＤＶＤ−Ａｕｄｉｏと称される音楽情報と画像情報とを予め記録した再生専用媒体、ＣＤ−ＲまたはＤＶＤ−Ｒと称される色素を記録層に適用した記録型媒体、ＣＤ−ＲＷ、ＤＶＤ−ＲＷまたはＤＶＤ−ＲＡＭと称される書換可能媒体のように、当該可換情報媒体の種類が増加し、記録再生装置としては何れの情報媒体（以下、ディスクと総称する）にも対応できることが望まれている。
【０００３】
また、基板厚みを薄くすると共に情報信号を記録再生する情報層の面内の情報密度を向上した情報媒体では、長時間に亘り記録再生ができるため、最近ではＤＶＤレコーダと称される記録再生装置において、例えばテレビ番組を留守録で取っておいた番組を早く見るため、電源を入れてから記録再生装置の起動時間を速くすることが望まれている。
【０００４】
従来、記録再生装置における電源オン後の起動は、一般に図５で示すようなシーケンスで行われる。すなわち、電源オン後の初期設定で周辺回路やＣＰＵメモリ等が初期化される（Ｓ５１）。次に、ディスクが記録再生装置に載置されているか否かの有無判別が行われ（Ｓ５２）、ディスクが載置されていない場合は記録再生動作を行わず記録再生装置を停止する。
【０００５】
Ｓ５２でディスク有りの場合は、ディスクを回転駆動するスピンドルモータを回転し（Ｓ５３）、ディスクの種類の判別を行い、ディスク種類がわかった時点でディスク毎の周辺回路設定を行い（Ｓ５４）、サーボ及び信号処理の学習を行い（Ｓ５５）、最後に論理情報であるリードインのコントロールデータや欠陥管理情報をディスクから読み出し（Ｓ５６）、起動を終了し記録または再生を行う（Ｓ５７）。これらのＳ５３〜Ｓ５６の起動時間は、一般には数十秒程度の時間を要する。特に、起動シーケンスにおいて電源オフ後にディスクを記録再生装置に装着したままの場合であっても、当該装着しているディスクに特有のサーボの学習値や信号処理の学習値のいわゆる学習情報、及びコントロールデータや欠陥管理情報等の論理情報は全てクリアされるため、同じディスクが装着されたままでも一旦電源をオフにすると、次にオンにした際に同じだけの起動時間がかかっていた。
【０００６】
そこで上記従来の起動時間を短縮する方法として特許文献１に記載されたものが知られている。この技術は、ディスクドライブの初期起動時にサーボの学習値をディスクドライブ内部の不揮発性メモリであるＥＥＰＲＯＭに記憶しておき、電源オフされた後の電源オン時の起動では、当該ＥＥＰＲＯＭの学習値を読み出してサーボの制御として使用することにより、サーボの学習時間を省くことができ、起動時間が短縮できるというものである。
【０００７】
【特許文献１】
特開２００２−７４６９４号公報（段落番号００４３〜００４６、図１）
【０００８】
【発明が解決しようとする課題】
上記特許文献１に開示の技術では、ディスクドライブ内部のＥＥＰＲＯＭにサーボの学習値を記憶させることにより起動時間を短縮しているが、起動処理の中にあるディスクの有無判別、ディスクの情報層の種類に関する情報、ディスクの識別やリードイン領域のコントロールデータ読み込み、信号処理の学習値、欠陥管理情報の読み込みといった処理の時間の短縮は考慮されていなかった。このことは近年のディスクドライブは多種類の光ディスクの記録再生に対応することが要請されるため、特にディスクを識別することは必須となってきており、同時にコントロールデータや欠陥管理情報にはディスクを記録再生するために必要な情報が含まれているため、起動時の読み込みは必要であり、ディスクの有無判別、ディスクの情報層の種類に関する情報、コントロールデータの読み込み、信号処理の学習値、欠陥管理情報の読み込みには、それぞれ数百ｍｓｅｃの時間を要していた。
【０００９】
また、上記特許文献１に開示の技術では、ディスクドライブ内部のＥＥＰＲＯＭにサーボの学習値を記憶させる構成をとっているが、例えば６４キロバイト程度の容量となるＤＶＤ−ＲＡＭの欠陥管理情報等の学習値以外の情報を記憶させようとすると、ＥＥＰＲＯＭを記憶するには容量が大きすぎ、学習値以外の情報を記憶することができないという問題もあった。
【００１０】
本発明は、記録再生装置の電源投入時に要する起動時間を短縮することを目的とする。
【００１１】
【課題を解決するための手段】
この課題を解決するために本発明の記録再生装置は、可換情報媒体に情報信号を記録再生する記録再生手段と、前記記録再生手段に対し記録再生動作を制御する制御手段とを含み、前記制御手段に前記可換情報媒体の履歴情報を格納する記憶手段を備える。
【００１２】
また、上記記録再生装置における可換情報媒体の履歴情報が、可換情報媒体の載置の有無情報、可換情報媒体の情報層の種類に関する情報、可換情報媒体の欠陥情報、及び可換情報媒体の制御情報の群から選択される少なくとも何れか１つの情報を含む。
【００１３】
また、本発明の情報記録方法は、可換情報媒体に情報信号を記録再生する記録再生部と、前記可換情報媒体の前記記録再生部に対する履歴情報を格納する記憶部を備え、前記記録再生部に対し記録再生動作を制御する制御部とを含む記録再生装置を用いる記録方法であって、記憶部に前記可換情報媒体の履歴情報の有無を判断するステップと、前記記憶部に格納された情報を前記制御部を介して前記記録再生部が備えるバッファ部に読み出すステップと、前記バッファ部から前記可換情報媒体の記録動作に関する情報を抽出するステップとを含む。
【００１４】
また、上記情報記録方法において、記録再生部の電源切断の指令を制御部を介して前記記録再生部が受信したとき、前記電源切断の処理に先立ち、記録動作に関する情報を記憶部に格納する要否判断をするステップをさらに含む。
【００１５】
また、本発明の情報再生方法は、可換情報媒体に情報信号を記録再生する記録再生部と、前記可換情報媒体の前記記録再生部に対する履歴情報を格納する記憶部を備え、前記記録再生部に対し記録再生動作を制御する制御部とを含む記録再生装置を用いる再生方法であって、記憶部に前記可換情報媒体の履歴情報の有無を判断するステップと、前記記憶部に格納された情報を前記制御部を介して前記記録再生部が備えるバッファ部に読み出すステップと、前記バッファ部から前記可換情報媒体の再生動作に関する情報を抽出するステップとを含む。
【００１６】
また、上記情報再生方法において、記録再生部の電源切断の指令を制御部を介して前記記録再生部が受信したとき、前記電源切断の処理に先立ち、再生動作に関する情報を記憶部に格納する要否判断をするステップをさらに含む。
【００１７】
【発明の実施の形態】
第１の本発明は、可換情報媒体に情報信号を記録動作及び／または再生動作を制御する制御手段に、当該可換情報媒体の履歴情報を格納する記憶手段を備えるため、記録再生装置の電源投入時に記憶手段から履歴情報を取得するだけで直ちに記録動作及び／または再生動作に移行できるため、電源投入からの起動時間を短縮できる作用効果を有する。
【００１８】
上記履歴情報が、可換情報媒体の載置の有無情報、可換情報媒体の情報層の種類に関する情報、可換情報媒体の欠陥情報、及び可換情報媒体の制御情報の群から選択される少なくとも何れか１つの情報を含む構成を採用すると、可換情報媒体に応じた記録再生手段の条件設定を短縮でき、以て電源投入時の起動時間が短縮できる。
【００１９】
第２の本発明は、バッファ部から記録動作に関する情報を抽出するステップを有する情報記録方法であるため、抽出した記録動作に関する情報に基づき記録再生装置の回路設定を可換情報媒体の記録に最適な条件に直ちに移行でき、以て記録再生装置における記録動作の起動時間を短縮できる作用効果を発揮する。
【００２０】
上記情報記録方法において、記録再生部の電源切断指令を当該記録再生部が受信した際、電源切断に先立ち記録動作に関する情報を記憶手段に記憶する要否判断ステップを備えるため、記録再生部の電源切断後で電源を再投入した際に、電源切断前の可換情報媒体の履歴情報の内記録動作に関する情報が得られることで記録動作に移行でき、電源再投入時の記録再生部の記録開始までに要する立ち上げ速度を短縮することができる。
【００２１】
第３の本発明は、バッファ部から再生動作に関する情報を抽出するステップを有する情報再生方法であるため、抽出した再生動作に関する情報に基づき記録再生装置の回路設定を可換情報媒体の再生に最適な条件に直ちに移行でき、以て記録再生装置における再生動作の起動時間を短縮できる作用効果を発揮する。
【００２２】
上記情報再生方法において、記録再生部の電源切断指令を当該記録再生部が受信した際、電源切断に先立ち再生動作に関する情報を記憶手段に記憶する要否判断ステップを備えるため、記録再生部の電源切断後で電源を再投入した際に、電源切断前の可換情報媒体の履歴情報の内再生動作に関する情報が得られることで再生動作に移行でき、電源再投入時の記録再生部の再生開始までに要する立ち上げ速度を短縮することができる。
【００２３】
以下、本発明の一実施の形態について、図面を用いて説明する。図１は本発明の一実施の形態における記録再生装置として、テレビ番組やビデオカメラ等からの映像音声信号を記録再生できるレコーダの構成図を示す。図１において、１は上述のディスクを記録再生できるディスクドライブ、２はディスクドライブ１の記録再生（場合によっては消去も含む）動作、入出力端子３からの各種情報信号、及びディスクドライブ１の電源のオン・オフを制御する制御部である。
【００２４】
ディスクドライブ１において、１０２はディスク１０１を回転駆動するスピンドルモータ、１０３はディスク１０１の情報層（図示は省略）に入出力端子３から入出力する情報信号を記録再生する光ピックアップ、１０４はスピンドルモータ１０２及び光ピックアップ１０３を制御するサーボ部、１０５は光ピックアップ１０３の出力信号からＲＦ信号やサーボ信号を増幅する増幅器、１０６は増幅器１０５の出力信号を２値化する信号処理部、１０７は信号処理部１０６で２値化したＲＦ信号をデコードするデコーダ、１０８はデコーダ１０７の出力信号を一時格納するデータバッファ、１０９はディスクドライブ１の記録再生動作を制御するＣＰＵ、１１０はデータバッファ１０８から得た情報信号をエンコードするエンコーダ、１１１はエンコーダ１１０のエンコード信号をＣＰＵ１０９の制御信号で制御し光ピックアップ１０３のレーザ光源（図示は省略）のパワーを制御するパワー制御部である。なお、ＣＰＵ１０９は、データバッファ１０８から制御信号成分を入力し、前述のパワー制御部１１１の他サーボ部１０４、増幅器１０５及び信号処理部１０６も制御する制御信号を出力する。また、制御部２には、制御部２で取り扱う各種制御情報、及び／または、ディスクドライブ１によるディスク１０１に対する記録再生に関する情報等の履歴情報を格納するメモリ２０１を備える。
【００２５】
以上のように構成されたレコーダの動作について図１〜３を参照しながら説明する。図２は電源オンから記録動作または再生動作を完了するまでに必要な主なステップを示している。レコーダの電源をオンすると、従来技術と同様にディスクドライブ１のサーボ部１０４、増幅器１０５、信号処理部１０６及びパワー制御部１１１等の周辺回路、ＣＰＵ１０９及びデータバッファ１０８を初期化する初期設定を行う（Ｓ１）。次に、メモリ２０１にディスクの履歴情報の有無を判断し（Ｓ２）、履歴情報がない場合はＳ３に、履歴情報がある場合はＳ１０に進む。
【００２６】
まず、履歴情報がない場合について説明する。レコーダのメモリ２０１にディスクの履歴情報が格納されていない場合としては、例えばレコーダを購入後初めて起動する場合、電源投入前にディスクが載置されていなく電源投入後にディスクをレコーダに挿入した場合、電源投入後に別のディスクを入れ換えた場合、ディスクは電源投入前から載置されているが電源切断から電源投入までに例えば数ヶ月等の時間が経過した場合、ディスクはレコーダに載置されていなく且つ例えば数ヶ月等の時間が経過した場合等があるが、本実施の形態ではレコーダに電源が投入されたときにディスクが載置されている（履歴情報有り）か、ディスクが載置されていない（履歴情報無し）かの例で以下説明する。
【００２７】
電源投入時にディスクが載置されていない場合は、まず光ピックアップ１０３のフォーカスをオンし、Ｓ字検出を行うことで光ディスクの有無検出を行う（Ｓ３）。Ｓ３で光ディスク無しを検出すると、レコーダを待機状態にし、ジョブを終了する。
【００２８】
一方Ｓ４でディスク有りを検出すると、光ピックアップ１０２のフォーカスはオン状態のままで、ディスクを載置するターンテーブルをスピンドルモータ１０２で回転を開始する（Ｓ４）。その後、トラッキングエラー信号の位相差信号とプッシュプル信号とによりＤＶＤ−ＲＯＭディスク等のピット記録型ディスクかＤＶＤ−ＲＡＭディスク等の相変化型ディスクかの判別を行い、相変化型ディスクであればプッシュプル信号を、ピット記録型ディスクであれば位相差信号を用いたトラッキング制御回路を設定すると同時に、サーボ部１０４、信号処理部１０６、デコーダ１０７、データバッファ１０８を設定する（Ｓ５）。次に、サーボ部１０４及び信号処理部１０６の学習を行い（Ｓ６）、論理情報であるリードイン領域のコントロールデータ及び欠陥管理情報をディスク１０１からの読み込みを行い（Ｓ７）、データバッファ１０８に格納した後起動処理を終了し記録再生が可能となる（Ｓ８）。なお、ディスク１０１が記録型ディスクであって、ディスクドライブ１で記録中にディスク１０１に新たな欠陥を発見したときには、データバッファ１０８に当該欠陥管理情報を書き換えると共に、例えば記録動作停止時等のタイミングで当該欠陥管理情報をディスク１０１にも書き換える。
【００２９】
ディスク１０１から読み出したデータサイズが大きいコントロールデータや欠陥管理情報のいわゆる論理情報は、データバッファ１０８に格納される。データバッファ１０８に格納されているデータは、ディスクドライブ１の電源（本実施の形態ではレコーダの電源）が投入されている間は例えばＣＰＵ１０９で読み出し可能で、ＣＰＵ１０９は当該論理情報に基づき増幅器１０５、信号処理部１０６及びパワー制御部１１１を制御することができる。しかしながら、レコーダの電源が切断されると同時にデータバッファ１０８に格納されているデータは全て消失するため、その後レコーダの電源を投入してもデータバッファ１０８に蓄積されていた論理情報を始め学習結果等の情報は再び振り出しに戻って一からやり直しとなる。
【００３０】
このように、レコーダの制御部２から電源切断指令をディスクドライブ１が受信した場合について図３を参照して説明する。ディスクドライブ１が電源切断の指令を受けると、データバッファ１０８に格納されている欠陥管理情報を、ディスク１０１の欠陥管理領域等に記録する要否を判断する（Ｓ３１）。Ｓ３１で記録すると判断した場合はディスク１０１の所定領域に記録し（Ｓ３２）、サーボを切るＳ３３を行う。また、最新の欠陥管理情報が既にディスク１０１に記録済みである等でＳ３１で記録しないと判断した場合はサーボを切るＳ３２を行う。このようにしてサーボを切った後スピンドルモータ１０２を停止し（Ｓ３４）、次に論理情報や学習結果等の可換情報媒体の履歴情報をメモり２０１に記憶する要否を判断する（Ｓ３５）。Ｓ３５で記憶すると判断した場合、メモリ２０１にデータバッファ１０８に格納されているデータを記憶する（Ｓ３６）。なお、図３では省略したが、データバッファ１０８に格納されている情報全てをメモり２０１に記憶するか、一部を記憶するかの判断も適宜適用できる。メモリ２０１に記憶した後電源を切断し（Ｓ３７）、レコーダのジョブが終了する。Ｓ３５で記憶する判断を選択した流れでは、データバッファ１０８が格納している情報はメモリ２０１に記憶されるため、レコーダの電源が再び投入されたときに、メモリ２０１からディスク１０１の履歴情報をデータバッファ１０８に読み込むことができ、電源再投入時のディスクドライブ１の起動時間が短縮できる。なお、Ｓ３５の判断はＳ３２からＳ３６の間の何れでも良いが、電源再投入の状態を正確に記憶するためにはモータ停止のＳ３４の後に行うことが好ましい。
【００３１】
一方Ｓ３５で記憶しないと判断した場合には、Ｓ３７で電源を切りレコーダのジョブが終了する。この流れの場合、上述したようにデータバッファ１０８に格納されていたデータは全て消失してしまうため、論理情報や学習結果等の可換情報媒体の履歴情報を逐一データバッファ１０８に格納し直す必要がある。なお、例えば学習結果に係る情報等のみを、Ｓ３２からＳ３７までの間（通常はＳ３４とＳ３７との間）で、メモり２０１に格納するステップを備えることも適宜選択して行えるが、何れにしてもデータバッファ１０８に格納されている情報の内、立ち上げ速度の向上に関する情報を選択しない場合は、その分だけ遅くなる。但し、Ｓ３５で記憶の必要なしと選択した場合であっても、メモリ２０１に格納されている情報を全て削除しさえしなければ、最新の情報ではないにしてもメモリ２０１に格納されている情報を、再立ち上げに際してデータバッファ１０８に読み込むことができ、この場合は再立ち上げの速度の向上効果は、Ｓ３５で記憶するを選択した場合と同じである。なお、この場合にはデータバッファ１０８に格納するデータは、最新のデータではないためディスク１０１として最適である保証に欠けるが、例えばメモり２０１に格納されているデータの格納年月日等で採用するか否かを判断する構成等を付加することによってある程度の信頼性は確保できる。
【００３２】
以上説明した電源切断の流れの内、Ｓ３５で記憶しない判断を下した場合が従来技術に相当し、再びレコーダの電源を投入すると、履歴情報は全て失われているため、一からの立ち上げとなる。この流れで立ち上げた際に必要とする情報量及び所用時間を論理情報を例に挙げ、図４を参照しながら説明する。
【００３３】
図４は、本発明のレコーダに使用するディスクの一例として、ＤＶＤ−ＲＡＭディスクの論理情報の概略構成を示した図である。ＤＶＤ−ＲＡＭディスクの内周側のリードイン領域に、記録再生するために必要な物理情報等を持つコントロールデータがあり、ＤＶＤ−ＲＡＭディスクの起動の際に、このコントロールデータの中の必要な情報がディスクドライブ１のデータバッファ１０８を介してＣＰＵ１０９に読み込まれる。ディスクドライブ１に読み込まれるコントロールデータのデータ量は、通常４ｋＢ程度である。また、このコントロールデータはＤＶＤ−ＲＡＭディスクのエンボス（ピット部、ＲＯＭ等とも称される）領域にあるため、エンボス領域とは物理特性の違うリライタブル領域であるデータ領域等からシークするためには、３００ｍｓｅｃ程度の時間が必要である。また、逆にエンボス領域からリライタブル領域にシークする際にも、同じだけの時間を必要とする。よって、リライタブル領域で起動中にコントロールデータを読み込むためには、リライタブル領域からエンボス領域へのシークと、エンボス領域からリライタブル領域へのシークとが発生し、合計６００ｍｓｅｃ程度の時間を要することになる。
【００３４】
次に、欠陥管理情報領域であるＤＭＡは内周側のリードイン領域にＤＭＡ１とＤＭＡ２、外周のリードアウト領域にＤＭＡ３とＤＭＡ４の４領域に同じデータが記録されており、それぞれ６４ｋＢの容量を持つ。正しいデータを取得するためには４つの領域を読み込んで比較し、もしデータが異なった場合は多数決で決める。ＤＶＤ−ＲＡＭディスクで記録再生するためには、この欠陥管理情報の読み込みは必須であり、コントロールデータと同じく起動時に読み込まれる。ＤＭＡの読み込みは内周と外周の４領域を読み込むため、内外周のシークが発生し数百ｍｓｅｃの時間が必要となる。
【００３５】
以上のように、論理情報だけであっても２５６ｋＢ程度の容量を必要とし、当該論理情報に基づきディスクドライブ１が正常に動作するまでの時間は数百ｍｓｅｃ程度の所用時間を要するが、実際のレコーダではディスク１０１の載置の有無情報、ディスク１０１の情報層の種類の情報、コントロールデータ情報、及び欠陥管理情報を読み込んで記憶するためには、それぞれ６８ＫＢ程度のの容量を持つメモリが必要である。これらの容量を全てディスクドライブ１に搭載するにはコストアップになるため、電源オン後の起動時には毎回装着されているディスクから読み込みを行っており、数ｓｅｃ〜数十ｓｅｃの処理時間を要していた。この処理時間は数値的には短く感じられるが、例えばレコーダでテレビ番組をタイマー録画し、レコーダが停止状態になった後当該タイマー録画した番組を視聴する際に、ユーザーはレコーダが動作するまで待つことになり、実感として待ち時間は数値よりはるかに長く感じられるものであるため、処理時間の短縮はユーザーにとって根強い願望がある。
【００３６】
次に、Ｓ３５で記憶するを選択した場合について、レコーダでタイマー録画した番組を録画後視認する時を例に挙げ説明する。前述の通り、電源切断過程でデータバッファ１０８に格納されている情報はメモリ２０１に格納されており、電源を再投入するとＳ２で履歴情報有りを選択し、履歴情報を制御部２を介してデータバッファ１０８に格納する（Ｓ１０）。データバッファ１０８に格納された履歴情報をＣＰＵ１０９が読み取り、制御信号をサーボ部１０４、増幅器１０５、信号処理部１０６及びパワー制御部１１１に指令を送り、制御信号を受信した各機器の条件設定を行う（Ｓ１１）。この状態で、タイマー録画でのディスクドライブ１の条件は設定され、ディスク１０１は装着されたままであるのでスピンドルモータ１０２の回転を開始し、記録再生動作（本実施の形態では再生動作）を行う。なお、本実施の形態のようにタイマー録画したディスク１０１のラストアドレスや先頭アドレス等の番組情報は、レコーダは一般的に制御部２で制御し、データ自体は制御部２が備えるメモリに格納されているため、当該メモリから制御部２及びデータバッファ１０８を介してサーボ部１０４にサーボ信号を発信し、ピックアップ１０３がディスク１０１の先頭アドレスまでジャンプし再生動作を行う。このように履歴情報を選択すると、ディスクドライブ１の立ち上げに必要な情報は全てディジタル信号で直接与えられるため、立ち上げの時間は瞬時に終了するため、前述した従来例で必要とした数百ｍｓｅｃ〜数ｓｅｃの待ち時間を短縮することができる。また、制御部２が備えるメモリに格納される情報としては、他に例えば制御部２のファームウェア、記録の途中経過に関する情報、ハードディスクを備える場合はハードディスクの管理情報や制御に関する情報等がある。本発明の履歴情報を格納するメモリ２０１を上記制御部２が備えるメモリと共用すると、メモリを増設する必要がないためレコーダとしてのコストアップを抑制できる。なお、制御部２に備えるメモリは例えばファームウェアは８〜１６ＭＢ程度を必要とするため、高々４ｋＢのコントロールデータや６４ｋＢの欠陥管理情報を格納する容量は充分確保できる。
【００３７】
なお、上述の実施の形態では、タイマー番組録画の後当該番組を視認する場合を例に挙げたため、履歴情報に可換情報媒体の載置の有無判断に関しては説明を省いたが、例えばタイマー番組録画・視認再生を行った後再び視認再生する場合等では載置の有無判断を追加しても良いこと勿論であり、その場合にはＳ１１とＳ１２との間に可換情報媒体の載置の有無判断ステップを入れるだけである。また、上述の実施の形態では、可換情報媒体の欠陥情報及び可換情報媒体の制御情報の双方の場合について説明したが、何れか一方でも良く、さらにレコーダとしてシステムの制御をする制御部が備える他の情報と組み合わせても良いこと当然である。
【００３８】
さらに、上記実施の形態では主に記録動作に関する情報について説明したが、履歴情報が記録動作のみに関する情報である場合は極めて少なく、例えば再生に必要なレーザパワー等の再生動作に関する情報も一般的には記録動作に関する情報に含まれるが、例えば本実施の形態で挙げたようにタイマー録画した願組を後で再生するだけの場合では再生動作に関する情報のみでも良い。また、記録動作に関する情報を選択するか再生動作に関する情報を選択するかは、例えばユーザーが好みに応じて適宜選択できる切換スイッチを備えることで対応できる。
【００３９】
また、上記実施の形態では、電源切断の際に記録動作に関する情報をメモリに格納しない場合は、再生に際し電源を再投入したときディスクドライブは一から設定をやり直す場合を説明したが、この実施の形態で取り上げたタイマー録画した番組を再生するような場合では、一般的に再生動作に関する情報は最新の情報でなくてとも適応できることが多いため、メモリ２０１に記憶されている情報を適用する構成でも対応可能である。
【００４０】
また、上記実施の形態では、光ディスクの有無検出をスピンドルモータ回転開始前に行う例を説明したが、スピンドルモータ回転開始後に行っても良いこと勿論である。
【００４１】
【発明の効果】
以上のように本発明によれば、電源オンからの情報記録再生装置の起動時間を短縮することができるという有利な効果が得られる。また、可換情報媒体を電源投入後に高速起動するために必要な履歴情報を格納するメモリを、情報記録装置を制御する制御部が備えるメモリと共用することも可能であり、大容量化と効率的利用とを図ることができるという有利な効果が得られる。
【図面の簡単な説明】
【図１】本発明の一実施の形態の記録再生装置の要部構成図
【図２】同記録再生装置における起動過程のフロー図
【図３】同記録再生装置における電源オフ過程フロー図
【図４】記録型ディスク領域構造の一例の概略構成図
【図５】従来の記録再生装置における起動過程のフロー図
【符号の説明】
１　ディスクドライブ
２　制御部
３　入出力端子
１０１　ディスク
１０２　スピンドルモータ
１０３　光ピックアップ
１０４　サーボ部
１０５　増幅器
１０６　信号処理部
１０７　デコーダ
１０８　データバッファ
１０９　ＣＰＵ
１１０　エンコーダ
１１１　パワー制御部
２０１　メモリ
【図１】
2004118887.tif 000003
【図２】
2004118887.tif 000004
【図３】
2004118887.tif 000005
【図４】
2004118887.tif 000006
【図５】
2004118887.tif 000007